(57)【要約】【課題】予め設定した条件が満たされた場合に、接続された電気機器への電力供給を選択的に規制することが可能なコンセント及び配電システムを提供する。【解決手段】ＡＣ機器が接続される交流コンセント５０は、ＡＣ機器への電力供給を制御する制御装置を有する電力供給システムに備えられる。交流コンセント５０は、ＡＣ機器への電力供給を許容するオン状態とＡＣ機器への電力供給を規制するオフ状態との間で切替可能なスイッチ６９を備える。スイッチ６９は、ＡＣ機器への電力供給を規制するための予め設定された条件であるオフ条件が満たされた場合に、制御装置によりオフ状態となるように制御される。【選択図】図４
2011101536.tif 000002
【特許請求の範囲】
【請求項１】
電気機器への電力供給を制御する制御手段を有する配電システムに備えられ、前記電気機器が接続されるコンセントにおいて、
前記電気機器への電力供給を許容するオン状態と前記電気機器への電力供給を規制するオフ状態との間で切替可能なスイッチを備え、
前記スイッチは、前記電気機器への電力供給を規制するための予め設定された条件であるオフ条件が満たされた場合に、前記制御手段により前記オフ状態となるように制御されることを特徴とするコンセント。
【請求項２】
前記オン状態にある前記スイッチが前記制御手段によって前記オフ状態にされないように、該スイッチを前記オン状態でロックするためのロック手段を備えたことを特徴とする請求項１に記載のコンセント。
【請求項３】
複数のコンセントと、該各コンセントにそれぞれ接続される電気機器への電力供給を制御する制御手段とを備えた配電システムにおいて、
前記各コンセントは、該各コンセントに接続される前記電気機器への電力供給を許容するオン状態と該各コンセントに接続される前記電気機器への電力供給を規制するオフ状態との間で切替可能なスイッチを備え、
前記制御手段は、前記電気機器への電力供給を規制するための予め設定された条件であるオフ条件が満たされた場合に、予め設定された規則に基づいて前記各コンセントの前記スイッチを選択的に前記オフ状態となるように制御することを特徴とする配電システム。
【請求項４】
前記オフ条件は、前記電気機器への供給電流値が、予め設定された遮断閾値未満であって且つ該遮断閾値よりも低い値となるように予め設定された警告閾値以上となることであることを特徴とする請求項３に記載の配電システム。
【請求項５】
前記制御手段は、予め設定された条件であるオン条件が満たされた場合に、前記各コンセントの前記オフ状態にある前記スイッチを前記オン状態となるように制御することを特徴とする請求項３または請求項４に記載の配電システム。
【発明の詳細な説明】
【技術分野】
【０００１】
本発明は、コンセント及び該コンセントに接続される電気機器に電力を供給する配電システムに関する。
【背景技術】
【０００２】
従来、電気機器に電力を供給する配電システムとしては、例えば特許文献１に示すものが知られている。この特許文献１に記載の配電システムは、主電源及び分散電源の双方から直流コンセントに接続された電気機器に電力が供給されるようになっている。そして、主電源の非停電時には該主電源から直流コンセントに接続された電気機器に電力が供給され、主電源の停電時には分散電源から直流コンセントに接続された電気機器に電力が供給されるようになっている。すなわち、主電源の停電時にバックアップ電源として分散電源を用いるようにしている。
【先行技術文献】
【特許文献】
【０００３】
【特許文献１】特開２００９−１５３３３７号公報
【発明の概要】
【発明が解決しようとする課題】
【０００４】
ところで、特許文献１のような配電システムには、通常、電力会社と契約した契約電流閾値以内の電流量しか使用できないように、リミッタ（契約ブレーカ）が設けられている。このため、例えば、各直流コンセントに接続された電気機器の使用によってリミッタに契約電流閾値を超える電流が流れると、該リミッタが配電路を遮断し、全ての直流コンセントに接続された電気機器に電力が供給されなくなってしまう。この結果、全ての電気機器が停止してしまうという問題があった。
【０００５】
本発明は、このような課題に着目してなされたものである。その目的とするところは、予め設定した条件が満たされた場合に、接続された電気機器への電力供給を選択的に規制することが可能なコンセント及び配電システムを提供することにある。
【課題を解決するための手段】
【０００６】
上記の目的を達成するために、請求項１に係るコンセントの発明は、電気機器への電力供給を制御する制御手段を有する配電システムに備えられ、前記電気機器が接続されるコンセントにおいて、前記電気機器への電力供給を許容するオン状態と前記電気機器への電力供給を規制するオフ状態との間で切替可能なスイッチを備え、前記スイッチは、前記電気機器への電力供給を規制するための予め設定された条件であるオフ条件が満たされた場合に、前記制御手段により前記オフ状態となるように制御されることを要旨とする。
【０００７】
この構成によれば、オフ条件が満たされた場合にスイッチが制御手段によりオフ状態となるように制御されるため、オフ条件を変更することで、多様な条件に応じてスイッチをオフ状態にすることが可能となる。したがって、予め設定した条件が満たされた場合に、接続された電気機器への電力供給を選択的に規制することが可能となる。
【０００８】
請求項２に係るコンセントの発明は、請求項１に記載の発明において、前記オン状態にある前記スイッチが前記制御手段によって前記オフ状態にされないように、該スイッチを前記オン状態でロックするためのロック手段を備えたことを要旨とする。
【０００９】
この構成によれば、ロック手段によってロックすることで、オン状態にあるスイッチが制御手段によってオフ状態にされないようにすることが可能となる。
請求項３に係る配電システムの発明は、複数のコンセントと、該各コンセントにそれぞれ接続される電気機器への電力供給を制御する制御手段とを備えた配電システムにおいて、前記各コンセントは、該各コンセントに接続される前記電気機器への電力供給を許容するオン状態と該各コンセントに接続される前記電気機器への電力供給を規制するオフ状態との間で切替可能なスイッチを備え、前記制御手段は、前記電気機器への電力供給を規制するための予め設定された条件であるオフ条件が満たされた場合に、予め設定された規則に基づいて前記各コンセントの前記スイッチを選択的に前記オフ状態となるように制御することを要旨とする。
【００１０】
この構成によれば、予め設定した条件が満たされた場合に、予め設定された規則に基づいて各コンセントのスイッチを選択的にオフ状態となるようにすることで、該各コンセントに接続された電気機器への電力供給を選択的に規制することが可能となる。
【００１１】
請求項４に係る配電システムの発明は、請求項３に記載の発明において、前記オフ条件は、前記電気機器への供給電流値が、予め設定された遮断閾値未満であって且つ該遮断閾値よりも低い値となるように予め設定された警告閾値以上となることであることを要旨とする。
【００１２】
この構成によれば、電気機器への供給電流値が予め設定された遮断閾値に達することを抑制することが可能となる。
請求項５に係る配電システムの発明は、請求項３または請求項４に記載の発明において、前記制御手段は、予め設定された条件であるオン条件が満たされた場合に、前記各コンセントの前記オフ状態にある前記スイッチを前記オン状態となるように制御することを要旨とする。
【００１３】
この構成によれば、オン条件が満たされた場合に、各コンセントのオフ状態にあるスイッチをオン状態にすることで、電力供給が規制されていた電気機器への電力供給を速やかに回復させることが可能となる。
【発明の効果】
【００１４】
本発明によれば、予め設定した条件が満たされた場合に、接続された電気機器への電力供給を選択的に規制することが可能なコンセント及び配電システムを提供することができる。
【図面の簡単な説明】
【００１５】
【図１】実施形態の電力供給システムの全体構成を示すブロック図。
【図２】図１の要部を示すブロック図。
【図３】実施形態において、コントロールユニットの構成を示すブロック図。
【図４】実施形態において、交流コンセントの構成を示すブロック図。
【図５】実施形態において、メイン制御処理ルーチンを示すフローチャート。
【図６】実施形態において、交流コンセント遮断処理ルーチンを示すフローチャート。
【図７】実施形態において、交流コンセント回復処理ルーチンを示すフローチャート。
【図８】実施形態において、各交流コンセントのスイッチのＯＮ−ＯＦＦ状態及び供給電流値の時間経過に伴う変化を示すタイミングチャート。
【図９】変更例において、冷房専用エアコンが接続される交流コンセントのスイッチのＯＮ−ＯＦＦ状態及び気温の時間経過に伴う変化を示すタイミングチャート。
【発明を実施するための形態】
【００１６】
以下、本発明を具体化した実施形態を図１〜図８に従って説明する。
図１に示すように、住宅には、宅内に設置された各種機器（照明機器、エアコン、家電、オーディオビジュアル機器等）に電力を供給する配電システムとしての電力供給システム１が設けられている。電力供給システム１は、家庭用の商用交流電源（ＡＣ電源）２を電力として各種機器を動作させる他に、太陽光により発電する太陽電池３の電力も各種機器に電源として供給する。電力供給システム１は、直流電源（ＤＣ電源）を入力して動作するＤＣ機器５の他に、交流電源（ＡＣ電源）を入力して動作するＡＣ機器６（電気機器）にも電力を供給する。
【００１７】
電力供給システム１には、同システム１の分電盤としてコントロールユニット７及びＤＣ分電盤（直流ブレーカ内蔵）８が設けられている。また、電力供給システム１には、住宅のＤＣ機器５の動作を制御する機器として制御ユニット９及びリレーユニット１０が設けられている。
【００１８】
コントロールユニット７には、交流電源を分岐させるＡＣ分電盤１１が交流系電力線１２を介して接続されている。コントロールユニット７は、このＡＣ分電盤１１を介して商用交流電源２に接続されるとともに、直流系電力線１３を介して太陽電池３に接続されている。コントロールユニット７は、ＡＣ分電盤１１から交流電力を取り込むとともに太陽電池３から直流電力を取り込み、これら電力を機器電源として所定の直流電力に変換する。そして、コントロールユニット７は、この変換後の直流電力を、直流系電力線１４を介してＤＣ分電盤８に出力したり、又は直流系電力線１５を介して蓄電池１６に出力して同電力を蓄電したりする。コントロールユニット７は、ＡＣ分電盤１１から交流電力を取り込むのみならず、太陽電池３や蓄電池１６の直流電力を交流電力に変換してＡＣ分電盤１１に供給することも可能である。コントロールユニット７は、信号線１７を介してＤＣ分電盤８とデータのやり取りを実行する。
【００１９】
ＤＣ分電盤８は、直流電力対応の一種のブレーカである。ＤＣ分電盤８は、コントロールユニット７から入力した直流電力を分岐させ、その分岐後の直流電力を、直流系電力線１８を介して制御ユニット９に出力したり、直流系電力線１９を介してリレーユニット１０に出力したりする。また、ＤＣ分電盤８は、信号線２０を介して制御ユニット９とデータのやり取りをしたり、信号線２１を介してリレーユニット１０とデータのやり取りをしたりする。
【００２０】
制御ユニット９には、複数のＤＣ機器５が接続されている。これらＤＣ機器５は、直流電力及びデータの両方を１対の線によって搬送可能な直流供給線路２２を介して制御ユニット９と接続されている。直流供給線路２２は、ＤＣ機器５の電源となる直流電圧に、高周波の搬送波によりデータを電送する通信信号を重畳する、いわゆる電力線搬送通信により、１対の線で電力及びデータの両方をＤＣ機器５に搬送する。制御ユニット９は、直流系電力線１８を介してＤＣ機器５の直流電源を取得し、ＤＣ分電盤８から信号線２０を介して得る動作指令を基に、どのＤＣ機器５をどのように制御するのかを把握する。そして、制御ユニット９は、指示されたＤＣ機器５に直流供給線路２２を介して直流電圧及び動作指令を出力し、ＤＣ機器５の動作を制御する。
【００２１】
制御ユニット９には、宅内のＤＣ機器５の動作を切り換える際に操作するスイッチ２３が直流供給線路２２を介して接続されている。また、制御ユニット９には、例えば赤外線リモートコントローラからの発信電波を検出するセンサ２４が直流供給線路２２を介して接続されている。よって、ＤＣ分電盤８からの動作指示のみならず、スイッチ２３の操作やセンサ２４の検知によっても、直流供給線路２２に通信信号を流してＤＣ機器５が制御される。
【００２２】
リレーユニット１０には、複数のＤＣ機器５がそれぞれ個別の直流系電力線２５を介して接続されている。リレーユニット１０は、直流系電力線１９を介してＤＣ機器５の直流電源を取得し、ＤＣ分電盤８から信号線２１を介して得る動作指令を基に、どのＤＣ機器５を動作させるのかを把握する。そして、リレーユニット１０は、指示されたＤＣ機器５に対し、内蔵のリレーにて直流系電力線２５への電源供給をオンオフすることで、ＤＣ機器５の動作を制御する。また、リレーユニット１０には、ＤＣ機器５を手動操作するための複数のスイッチ２６が接続されており、スイッチ２６の操作によって直流系電力線２５への電源供給をリレーにてオンオフすることにより、ＤＣ機器５が制御される。
【００２３】
ＤＣ分電盤８には、例えば壁コンセントや床コンセントの態様で住宅に建て付けられた直流コンセント２７が直流系電力線２８を介して接続されている。この直流コンセント２７にＤＣ機器のプラグ（図示略）を差し込めば、同機器に直流電力を直接供給することが可能である。
【００２４】
また、商用交流電源２とＡＣ分電盤１１との間には、商用交流電源２の使用量を遠隔検針可能な電力メータ２９が接続されている。電力メータ２９には、商用電源使用量の遠隔検針の機能のみならず、例えば電力線搬送通信や無線通信の機能が搭載されている。電力メータ２９は、電力線搬送通信や無線通信等を介して検針結果を電力会社等に送信する。
【００２５】
電力供給システム１には、宅内の各種機器をネットワーク通信によって制御可能とするネットワークシステム３０が設けられている。ネットワークシステム３０には、同システム３０のコントロールユニットとして宅内サーバ３１が設けられている。宅内サーバ３１は、インターネットなどのネットワークＮを介して宅外の管理サーバ３２と接続されるとともに、信号線３３を介して宅内機器３４に接続されている。また、宅内サーバ３１は、ＤＣ分電盤８から直流系電力線３５を介して取得する直流電力を電源として動作する。
【００２６】
宅内サーバ３１には、ネットワーク通信による宅内の各種機器の動作制御を管理するコントロールボックス３６が信号線３７を介して接続されている。コントロールボックス３６は、信号線１７を介してコントロールユニット７及びＤＣ分電盤８に接続されるとともに、直流供給線路３８を介してＤＣ機器５を直接制御可能である。コントロールボックス３６には、例えば使用したガス量や水道量を遠隔検針可能なガス／水道メータ３９が接続されるとともに、ネットワークシステム３０の操作パネル４０が接続されている。操作パネル４０には、例えばドアホン子器やセンサやカメラからなる監視機器４１が接続されている。
【００２７】
宅内サーバ３１は、ネットワークＮを介して宅内の各種機器の動作指令を入力すると、コントロールボックス３６に指示を通知して、各種機器が動作指令に準じた動作をとるようにコントロールボックス３６を動作させる。また、宅内サーバ３１は、ガス／水道メータ３９から取得した各種情報を、ネットワークＮを通じて管理サーバ３２に提供可能であるとともに、監視機器４１で異常検出があったことを操作パネル４０から受け付けると、その旨もネットワークＮを通じて管理サーバ３２に提供する。
【００２８】
図２に示すように、ＡＣ分電盤１１には商用交流電源２から配電路４５を介して電力が供給される。ＡＣ分電盤１１内には、商用交流電源２側となる一次側から順に、遮断器として機能するリミッタ（契約ブレーカ）４６、主幹ブレーカ４７、及び複数の分岐ブレーカ４８が配電路４５にそれぞれ設けられている。
【００２９】
リミッタ４６は、商用交流電源２を提供する電力会社との契約に基づいて設定される遮断閾値としての契約電流閾値Ｋ（本実施形態では、１００Ｖで３０Ａに設定されている）以上の電流が供給された場合に配電路４５を遮断する。すなわち、ＤＣ機器５及びＡＣ機器６が接続される二次側において電力が使用されると、リミッタ４６には負荷の大きさに応じた電流が流れる。そして、商用交流電源２から契約電流閾値Ｋ以上の電流が供給された場合には、リミッタ４６内に設けられたバイメタル（図示略）が電流によって発熱して湾曲し、接点を切り離すことにより商用交流電源２からの電力の供給が停止される。
【００３０】
また、リミッタ４６よりも二次側に接続される主幹ブレーカ４７は、二次側において漏電や短絡が発生して異常な電流が流れた場合に配電路４５を遮断する。さらに、分岐ブレーカ４８は、各ＡＣ機器６毎に対応するように分岐された分岐路４９に個別に対応するように設けられている。各分岐ブレーカ４８は、各分岐路４９を介して各ＡＣ機器６に供給される電流が、契約電流閾値Ｋよりも小さな値に設定された分岐電流閾値を超えた場合に各分岐路４９を個別に遮断する。なお、各分岐路４９のうちコントロールユニット７と対応する分岐路４９以外の各分岐路４９には、各ＡＣ機器６が着脱自在に電気的に接続されるコンセントを構成する交流コンセント５０が個別に設けられている。
【００３１】
次に、コントロールユニット７について詳述する。
図３に示すように、コントロールユニット７は、電力系統を構成する商用交流電源２並びに分散電源を構成する太陽電池３及び蓄電池１６を電力供給システム１が有する各種の負荷Ｆに接続して配電する配電路５５を備えている。負荷Ｆには、ＤＣ機器５及びＡＣ機器６等の各種機器の他にコントロールユニット７等のシステム構成要素も含まれ、これらに電力を供給する交流系電力線１２、直流系電力線１３〜１５，１８，１９，２５，２８，３５、及び直流供給線路２２，３８により配電路５５は構成されている。
【００３２】
コントロールユニット７は、商用交流電源２から供給される交流電力を直流電力に変換するＡＣ／ＤＣコンバータ５６と、太陽電池３に接続されたＤＣ／ＤＣコンバータ５７とを備えている。すなわち、ＡＣ／ＤＣコンバータ５６を介して交流電力から変換された直流電力や、ＤＣ／ＤＣコンバータ５７を介して太陽電池３から供給される直流電力が負荷Ｆ側に供給されるようになっている。
【００３３】
また、コントロールユニット７は、蓄電池１６から放電される直流電力を負荷Ｆ側に送出させる放電回路５８と、蓄電池１６を充電する充電回路５９とを備えている。すなわち、蓄電池１６は、停電時等に非常用電源として機能するために、常には充電回路５９を介して直流電力が充電されると共に、停電時等には蓄電している直流電力が放電回路５８を介して負荷Ｆ側に放電されるようになっている。
【００３４】
また、コントロールユニット７は、ＤＣ機器５等の負荷Ｆにおける消費電力量を計測するために配電路５５に設けられた電力計測回路６０と、ＡＣ／ＤＣコンバータ５６に供給される電流値を計測するための電流計６１とを備えている。さらに、コントロールユニット７は、電力計測回路６０及び電流計６１の双方と電気的に接続されると共にコントロールユニット７等の稼働状態を制御するための制御手段としての制御装置６２を備えている。制御装置６２はＣＰＵ、ＲＯＭ、及びＲＡＭを備えた構成とされ、ＲＯＭには、該制御装置６２が各種の制御を行うためのプログラム、契約電流閾値Ｋ、後述する警告閾値としての警告電流閾値Ｓ１（本実施形態では、１００Ｖで２８Ａに設定されている）、後述する回復電流閾値Ｓ２（本実施形態では、１００Ｖで２０Ａに設定されている）などが記憶されている。契約電流閾値Ｋ、警告電流閾値Ｓ１及び回復電流閾値Ｓ２の大小関係は、常に、契約電流閾値Ｋ＞警告電流閾値Ｓ１＞回復電流閾値Ｓ２となるように設定される。
【００３５】
そして、制御装置６２は、停電時等に非常用電源としての機能を発揮するために最低限必要とされる電力量を蓄電池１６に確保させるように充電回路５９を制御すると共に、停電時等には蓄電池１６から負荷Ｆ側に必要とされる電力量の直流電力が供給されるように放電回路５８を制御する。また、制御装置６２は、ＡＣ／ＤＣコンバータ５６、ＤＣ／ＤＣコンバータ５７、及び蓄電池１６等の他の構成要素を必要に応じて制御する。さらに、制御装置６２には各交流コンセント５０（図２参照）と無線通信するための通信装置６３が電気的に接続されており、該制御装置６２は無線通信によって各交流コンセント５０を制御する。
【００３６】
次に、交流コンセント５０について詳述する。
図４に示すように、交流コンセント５０は、ＡＣ機器６（図２参照）の差込プラグを接続するための接続部６５と、分岐路４９に設けられるとともに接続部６５に接続されるＡＣ機器６へ供給される電流値を計測するための電流計６６とを備えている。接続部６５の近傍にはオフランプ６７とロック手段としてのロックボタン６８とが設けられている。また、交流コンセント５０は、分岐路４９に設けられるとともに接続部６５に接続されるＡＣ機器６への電力供給を許容するオン状態と該ＡＣ機器６への電力供給を規制（停止）するオフ状態との間で切替可能なスイッチ６９を備えている。
【００３７】
さらに、交流コンセント５０は該交流コンセント５０の制御を行うための制御部７０を備えている。制御部７０には、制御装置６２（図３参照）と無線通信するための通信部７１、電流計６６、オフランプ６７、ロックボタン６８、及びスイッチ６９がそれぞれ電気的に接続されている。そして、制御部７０は、電流計６６の測定値情報及びロックボタン６８がロック状態であるかロック解除状態であるかの情報を制御装置６２（図３参照）へ送信したり、該制御装置６２からの指令に基づいてスイッチ６９の切替動作を行ったり、オフランプ６７を点灯または消灯させたりする。
【００３８】
図３及び図４に示すように、制御装置６２は、予め設定された条件であるオフ条件が満たされた場合に、制御部７０に指令を出してオン状態にあるスイッチ６９をオフ状態に切り替えさせる。そして、本実施形態において、オフ条件は、コントロールユニット７の電流計６１及び全ての交流コンセント５０の電流計６６の合計電流値である供給電流値Ａ（リミッタ４６を流れる電流値）が契約電流閾値Ｋ未満であって且つ警告電流閾値Ｓ１以上となることに設定されている。
【００３９】
また、制御装置６２は、予め設定された条件であるオン条件が満たされた場合に、制御部７０に指令を出してオフ状態にあるスイッチ６９をオン状態に切り替えさせる。そして、本実施形態において、オン条件は、供給電流値Ａが回復電流閾値Ｓ２以下となることに設定されている。
【００４０】
オフランプ６７は、スイッチ６９がオフ状態になった場合に制御装置６２の指令基づいて制御部７０により点灯され、スイッチ６９がオン状態になった場合に制御装置６２の指令基づいて制御部７０により消灯される。
【００４１】
ロックボタン６８は、スイッチ６９がオン状態にあるときに、ユーザによって押されることでロック状態になる。そして、ロックボタン６８がロック状態にあるときには、制御装置６２から制御部７０にスイッチ６９をオフ状態にする旨の指令が出されても、スイッチ６９はオフ状態にされることなくオン状態に維持される。また、ロックボタン６８は、ロック状態のときにユーザによって押されるとロック解除状態になる。そして、ロックボタン６８がロック解除状態にあるときには、制御装置６２から制御部７０にスイッチ６９をオフ状態にする旨の指令が出されると、スイッチ６９はオフ状態にされる。
【００４２】
次に、制御装置６２が行う実行する制御処理ルーチンのうち、所定時間（例えば、数ミリ秒）間隔で実行されるメイン制御処理ルーチンについて図５に示すフローチャートに基づき説明する。
【００４３】
さて、制御装置６２は、交流コンセント遮断処理ルーチンを実行する（ステップＳ１）。続いて、制御装置６２は、交流コンセント回復処理ルーチンを実行し（ステップＳ２）、その後、メイン制御処理ルーチンを終了する。
【００４４】
次に、交流コンセント遮断処理ルーチンを図８に示すタイミングチャート及び図６に示すフローチャートに基づき説明する。なお、図８のタイミングチャートは、一例としてＡＣ機器６の一種であるドライヤ、電子レンジ、及び冷蔵庫を互いに異なる交流コンセント５０にそれぞれ接続したときの各交流コンセント５０のスイッチ６９のＯＮ−ＯＦＦ状態及び供給電流値Ａの時間経過に伴う変化を示したものである。また、冷蔵庫が接続された交流コンセント５０のロックボタン６８はロック状態になっており、ドライヤ及び電子レンジ接続された交流コンセント５０のロックボタン６８はロック解除状態になっているものとする。さらに、ドライヤの消費電力は電子レンジの消費電力よりも大きいものとする。
【００４５】
さて、制御装置６２は、コントロールユニット７の電流計６１及び全ての交流コンセント５０の電流計６６の測定値情報を取得して供給電流値Ａを算出し、該算出した供給電流値Ａが警告電流閾値Ｓ１以上であるか否かを判定する（ステップＳ１０）。ステップＳ１０の判定が否定判定であった場合には、制御装置６２は、再びステップＳ１０の処理を実行する。一方、ステップＳ１０の判定が肯定判定であった場合には、制御装置６２は、ロックボタン６８がロック解除状態にある交流コンセント５０があるか否かを判定する（ステップＳ１１）。
【００４６】
ここで、図８に示すように、冷蔵庫と電子レンジとが使用されていて、ドライヤが使用されていない時間Ｔ１のときには、供給電流値Ａが警告電流閾値Ｓ１未満であるため、ステップＳ１０では否定判定となる。一方、冷蔵庫、電子レンジ、及びドライヤが使用されている時間Ｔ２のときには、供給電流値Ａが警告電流閾値Ｓ１以上であるため、ステップＳ１０では肯定判定となる。
【００４７】
ステップＳ１１の判定が否定判定であった場合には、制御装置６２は、交流コンセント遮断処理ルーチンを終了する。一方、ステップＳ１１の判定が肯定判定であった場合には、制御装置６２は、ロックボタン６８がロック解除状態にある交流コンセント５０を特定する（ステップＳ１２）。続いて、制御装置６２は、ロックボタン６８がロック解除状態にある交流コンセント５０の数を表すＭの値（本実施形態では２）を設定する（ステップＳ１３）。続いて、制御装置６２は、ステップＳ１２で特定した各交流コンセント５０を、接続されたＡＣ機器６の消費電力が高い順に順位をつける（ステップＳ１４）。すなわち、本実施形態では、ドライヤの消費電力が１番目に高く、電子レンジの消費電力が２番目に高い。
【００４８】
続いて、制御装置６２は、ステップＳ１４でつけた順位を表すＲの値を１に設定する（ステップＳ１５）。続いて、制御装置６２は、消費電力が１番高いドライヤが接続された交流コンセント５０のスイッチ６９をオフ状態にするとともにオフランプ６７を点灯させる（ステップＳ１６）。続いて、制御装置６２は、コントロールユニット７の電流計６１及び全ての交流コンセント５０の電流計６６の測定値情報を取得して供給電流値Ａを算出し、該算出した供給電流値Ａが警告電流閾値Ｓ１以上であるか否かを判定する（ステップＳ１７）。
【００４９】
ステップＳ１７の判定が否定判定であった場合には、制御装置６２は、交流コンセント遮断処理ルーチンを終了する。一方、ステップＳ１７の判定が肯定判定であった場合には、制御装置６２は、Ｒ＝Ｍであるか否かを判定する（ステップＳ１８）。すなわち、図８に示すように、ドライヤが接続された交流コンセント５０が遮断されてドライヤが使用されずに冷蔵庫と電子レンジとが使用されている時間Ｔ３のときには、供給電流値Ａが警告電流閾値Ｓ１未満であるため、ステップＳ１７では否定判定となる。一方、ドライヤを停止させただけでは供給電流値Ａが警告電流閾値Ｓ１未満にならない場合には、ステップＳ１７では肯定判定となる。
【００５０】
ステップＳ１８の判定が肯定判定であった場合には、制御装置６２は、交流コンセント遮断処理ルーチンを終了する。一方、ステップＳ１８の判定が否定判定であった場合には、制御装置６２はＲに１を加えた後（ステップＳ１９）、その処理をステップＳ１６へ移行する。
【００５１】
次に、交流コンセント回復処理ルーチンを図８に示すタイミングチャート及び図７に示すフローチャートに基づき説明する。
さて、制御装置６２は、各交流コンセント５０の制御部７０からスイッチ６９のオンオフ情報を取得し、スイッチ６９がオフ状態にある交流コンセント５０があるか否かを判定する（ステップＳ２０）。ステップＳ２０の判定が否定判定であった場合には、制御装置６２は、交流コンセント回復処理ルーチンを終了する。一方、ステップＳ２０の判定が肯定判定であった場合には、制御装置６２は、スイッチ６９がオフ状態にある交流コンセント５０を特定する（ステップＳ２１）。
【００５２】
続いて、制御装置６２は、コントロールユニット７の電流計６１及び全ての交流コンセント５０の電流計６６の測定値情報を取得して供給電流値Ａを算出し、該算出した供給電流値Ａが回復電流閾値Ｓ２以下であるか否かを判定する（ステップＳ２２）。ステップＳ２２の判定が否定判定であった場合には、制御装置６２は、交流コンセント回復処理ルーチンを終了する。一方、ステップＳ２２の判定が肯定判定であった場合には、制御装置６２は、ステップＳ２１で特定したスイッチ６９がオフ状態にある全ての交流コンセント５０のスイッチ６９をオン状態にするとともにオフランプ６７を消灯させた後（ステップＳ２３）、交流コンセント回復処理ルーチンを終了する。
【００５３】
ここで、図８に示すように、ドライヤが接続された交流コンセント５０が遮断されてドライヤが使用されず且つ電子レンジが使用されておらず、冷蔵庫のみが使用されている時間Ｔ４のときには、供給電流値Ａが回復電流閾値Ｓ２以下であるため、ステップＳ２２では肯定判定となる。
【００５４】
以上詳述した実施形態によれば次のような効果が発揮される。
（１）供給電流値Ａ（リミッタ４６を流れる電流値）が契約電流閾値Ｋ未満であって且つ警告電流閾値Ｓ１以上となった場合に、ＡＣ機器６が接続された各交流コンセント５０のオン状態にあるスイッチ６９を選択的にオフ状態にすることができる、すなわちＡＣ機器６への電力供給を選択的に規制（停止）することができる。このため、リミッタ４６が遮断されて全てのＡＣ機器６への電力供給が停止することを抑制することができる。
【００５５】
（２）各交流コンセント５０は、スイッチ６９をオン状態に維持することが可能なロックボタン６８を備えている。このため、ロックボタン６８をロック状態にすることで、制御装置６２から制御部７０にスイッチ６９をオフ状態にする旨の指令が出されても、スイッチ６９がオフ状態にされないようにすることができる。特に、冷蔵庫や照明などの電力供給を遮断してはいけない重要なＡＣ機器６が接続される交流コンセント５０のロックボタン６８をロック状態にすることで、日常生活への悪影響を最小限に抑えることができる。
【００５６】
（３）供給電流値Ａが回復電流閾値Ｓ２以下になった場合に、ＡＣ機器６が接続された各交流コンセント５０のオフ状態にあるスイッチ６９がオン状態にされる。このため、電力供給が規制（停止）されていたＡＣ機器６への電力供給を速やかに回復させることができる。
【００５７】
（４）各交流コンセント５０は、スイッチ６９がオフ状態のときにオフランプ６７が点灯されるので、スイッチ６９がオフ状態になっている旨をユーザに報知することができる。
【００５８】
（変更例）
なお、上記実施形態は、次のように変更して具体化することも可能である。
・オフ条件は、宅外の天候、気温、明るさ、気圧などの外的な情報に基づいて、各交流コンセント５０に接続されたＡＣ機器６が無駄に使用されないように設定してもよい。例えば、図９に示すように、冷房専用エアコンに電力が供給されている状態で、所定温度Ｇ（例えば２０℃）よりも気温が低い状態が所定時間ＴＡ（例えば３０分）以上続いた場合に、該冷房専用エアコンが接続されている交流コンセント５０のスイッチ６９をオフ状態にするようにしてもよい。この場合、所定温度Ｇ（例えば２０℃）よりも気温が低い状態が所定時間ＴＡ（例えば３０分）以上続くことがオフ条件となる。さらにこの場合、気温情報は、宅外に設置された温度センサから取得してもよいし、インターネット経由で気象庁などのホームページから取得してもよい。
【００５９】
あるいは、昼間なのに照明が点灯していたり、気温が高いのに電気ストーブが作動していたりすることを抑制するように、対応する各交流コンセント５０のスイッチ６９のオフ条件を設定してもよい。
【００６０】
・オフ条件は、宅内の給湯温度やガス消費量などの内的な情報に基づいて、各交流コンセント５０に接続されたＡＣ機器６が無駄に使用されないように設定してもよい。
・交流コンセント遮断処理ルーチンのステップＳ１４において、ステップＳ１２で特定した各交流コンセント５０を、接続されたＡＣ機器６の消費電力が低い順に順位をつけるようにしてもよいし、あるいは予めユーザが順位をつけるようにしてもよい。
【００６１】
・交流コンセント回復処理ルーチンのステップＳ２３において、各交流コンセント５０のオフ状態にあるスイッチ６９を、消費電力が低いＡＣ機器６と対応するものから優先的にオン状態にするようにしてもよいし、あるいは予めユーザがオン状態にする際のスイッチ６９の優先順位を設定できるようにしてもよい。
【００６２】
・メイン制御処理ルーチンにおいて、交流コンセント回復処理ルーチンは省略してもよい。
・オフランプ６７及びロックボタン６８のうち少なくとも一方を省略してもよい。
【００６３】
・制御装置６２と制御部７０とは、電力線搬送通信などの有線によって通信可能に接続してもよい。この場合、通信装置６３及び通信部７１は省略される。
【符号の説明】
【００６４】
１…配電システムとしての電力供給システム、６…電気機器を構成するＡＣ機器、５０…コンセントを構成する交流コンセント、６２…制御手段としての制御装置、６８…ロック手段としてのロックボタン、６９…スイッチ、Ａ…供給電流値、Ｓ１…警告閾値としての警告電流閾値、Ｋ…遮断閾値としての契約電流閾値。
【図１】
2011101536.tif 000003
【図２】
2011101536.tif 000004
【図３】
2011101536.tif 000005
【図４】
2011101536.tif 000006
【図５】
2011101536.tif 000007
【図６】
2011101536.tif 000008
【図７】
2011101536.tif 000009
【図８】
2011101536.tif 000010
【図９】
2011101536.tif 000011